(57)【要約】【課題】  住宅やビル等の建物の屋内天井や壁に設置し、人の留守時や、夜間睡眠中の出火にも自動で速やかに作動し、確実な初期消火が可能な自動落下式消火弾を提案する。また、設置が簡単でコストも安価で、建物の種別を問わずに容易に導入することができ、取り扱いにも優れた自動落下式消火弾を提案する。【解決手段】  衝撃破裂性容器内に消火剤を封入した消火弾を、建物の屋内天井又は壁から吊す任意の吊り下げ手段で天井又は壁に設置し、火災時の温度上昇により吊り下げ手段が保持機能を失い、消火弾が落下して容器が破裂し、消火剤が飛散して消火するように構成する。【選択図】図１
2011206087.tif 000002
【特許請求の範囲】
【請求項１】
衝撃破裂性容器内に消火剤を封入した消火弾を、建物の屋内天井又は壁から吊す任意の吊り下げ手段で天井又は壁に設置し、
火災時の温度上昇により吊り下げ手段が保持機能を失い、消火弾が落下して容器が破裂し、消火剤が飛散して消火するように構成した自動落下式消火弾。
【請求項２】
消火弾を吊り下げる糸が溶融することで消火弾が落下するようにした請求項１に記載の自動落下式消火弾。
【請求項３】
消火弾を掛け留める掛け金具にバイメタルを用い、バイメタルの変位で消火弾が落下するようにした請求項１に記載の自動落下式消火弾。
【請求項４】
消火弾に任意の意匠を施してインテリア品とした請求項１、２又は３に記載の自動落下式消火弾。
【発明の詳細な説明】
【技術分野】
【０００１】
この発明は、住宅やビル等の建物の屋内天井や壁に設置し、出火時に速やかに作動する自動落下式消火弾に関するものである。
【背景技術】
【０００２】
建物の火災においては初期消火が最も重要であるが、備え付け消火器は、パニックに陥った状態で正しく操作できず、役立たないことが多い。これに対し、火元に手投げして消火する投てき式の消火弾がある。この消火弾は、ガラス製アンプルや割れ易い
樹脂容器等の衝撃破裂性容器内に、塩化アンモニウム−炭酸ナトリウムの水溶液等からなる消火剤を封入し、投てきによる衝撃で容器が破裂し、消火剤が飛散して消火するものである（特許文献１参照）。
【０００３】
また、不特定多数が出入りする施設には、自動消火設備が義務付けられ、こうした建物には、屋内の天井にスプリンクラーが設置されている。この自動消火設備は、火災を検知してバルブが開き、高架水槽に配管されたスプリンクラーから散水して消火するものである（特許文献２参照）。
【先行技術文献】
【特許文献】
【０００４】
【特許文献１】特開平９−２５３２３１号公報
【特許文献２】特開平８−１１４３３１号公報
【発明の概要】
【発明が解決しようとする課題】
【０００５】
消火弾は取り扱いが便利であるが、人の留守時や、夜間睡眠中の出火には役立たない。自動消火設備は、装置が大掛かりで高額な設備工事を伴い、小規模施設への導入にはコストが高く、ましてや個人住宅には全く不適である。
【０００６】
この発明は、これらの課題を解決することを目的とするもので、住宅やビル等の建物の屋内天井や壁に設置し、人の留守時や、夜間睡眠中の出火にも自動で速やかに作動し、確実な初期消火が可能な自動落下式消火弾を提案することを目的とするものである。また、設置が簡単でコストも安価で、建物の種別を問わずに容易に導入することができ、取り扱いにも優れた自動落下式消火弾を提案することを目的とするものである。
【課題を解決するための手段】
【０００７】
上記の目的を達成するため、この発明の自動落下式消火弾は、衝撃破裂性容器内に消火剤を封入した消火弾を、建物の屋内天井又は壁から吊す任意の吊り下げ手段で天井又は壁に設置し、火災時の温度上昇により吊り下げ手段が保持機能を失い、消火弾が落下して容器が破裂し、消火剤が飛散して消火するように構成するものである。
【０００８】
また、消火弾を吊り下げる糸が溶融することで消火弾が落下するようにし、あるいは、消火弾を掛け留める掛け金具にバイメタルを用い、バイメタルの変位で消火弾が落下するように構成するものである。
【０００９】
また、消火弾に任意の意匠を施してインテリア品として商品化するものである。
【発明の効果】
【００１０】
この発明の自動落下式消火弾は、建物の屋内天井又は壁から吊す任意の吊り下げ手段で消火弾を天井又は壁に設置し、火災時の温度上昇により吊り下げ手段が保持機能を失い、消火弾が落下して消火するように構成したので、人の留守時や、夜間睡眠中の出火にも自動で速やかに作動し、確実な初期消火が可能である。また、特別な工事が不要で、設置が簡単でコストも安価であるから、小規模施設、飲食店、住宅等の建物の種別を問わずに容易に導入することができる。
【００１１】
また、制御が電源によらないので、地震時等の停電時にも確実に作動し、電池交換等の特別なメンテナンスも不要で、取り扱いにも優れ、特に、避難が困難な要介護者を収容した高齢者施設等に設置して有益である。
【図面の簡単な説明】
【００１２】
【図１】図面はこの発明の実施例で、天井に設置した状態の説明図。
【図２】落下状態の説明図。
【図３】天井に掛け留めて設置した状態の説明図。
【発明を実施するための形態】
【００１３】
以下にこの発明の実施形態について、図面を用いて具体的に説明する。
図面はこの発明の実施例で、自動落下式消火弾を天井に設置した状態を図１に示す。図において、衝撃破裂性容器内に消火剤を封入した消火弾１が、建物の屋内天井２から糸３で吊り下げられ、天井２に設置されている。糸３は、天井２に固定した掛け金具４に上端を掛け留め、下端に消火弾１を取り付けている。
【００１４】
出火時に消火弾１を自動落下させる手段として最も簡単な方法は、糸３として細番手の合成繊維を用い、火災時の温度上昇で糸３が溶融して消火弾１が落下するように構成することである。糸３の溶融で消火弾１が落下し、床面との衝撃で容器が破裂し、消火剤が飛散して消火することができる。
【００１５】
また、消火弾を掛け留める掛け金具４にバイメタルを用い、バイメタルの変位で消火弾１が落下するように構成することもでき、その作動状態を図２に示す。図に示すように、火災時の温度上昇に伴うバイメタルの変位で掛け金具４が開き、消火弾１が落下する。
【００１６】
消火弾１には、建物の種別やインテリアに適するように、任意の意匠が施される。例えば、消火弾１をカラフルな色彩や模様を施したカバー５で覆い、あるいは、造花で飾られた鉢状容器に消火弾１を収容するなどである。このように、消火弾１が露出しないようにする他、消火弾１自体をペンダント風に形成するなど、天井（又は壁）に設置したときに違和感を与えないように、任意の意匠を施してインテリア品としてデザインし、商品化が図られる。
【００１７】
以上、天井設置の実施例について説明したが、消火弾１は、高さ数十ｃｍの落下の衝撃で破裂可能であるから、この発明の自動落下式消火弾は壁に設置してもよい。この場合、天井設置と壁設置を選択して選べるような取り付け部材を同梱することが好ましい。
【００１８】
なお、この出願書類における消火弾１の吊り下げ手段とは、必ずしも糸や紐を用いて下方に垂らすことに限定されず、図３に示すように、消火弾１を天井２（又は壁）に掛け留めて保持する手段を含むものであり、床面に向いて落下可能な状態に保持する手段全般である。天井２に掛け留める場合、カバー５で消火弾１を覆い、シーリング照明器具のようにデザインすれば違和感がない。また、火災時の温度上昇により吊り下げ手段が保持機能を失うとは、電源による制御ではなく、吊り下げ手段で用いる部材の熱による溶融、強度低下や変位により、物理的に消火弾１を保持できなくなることであり、こうした現象を利用した様々な手段が適用可能である。
【符号の説明】
【００１９】
１  消火弾
２  天井
３  糸
４  掛け金具
【図１】
2011206087.tif 000003
【図２】
2011206087.tif 000004
【図３】
2011206087.tif 000005